(57)【要約】    【課題】  ワイヤストッパを具備するオーバヘッドドアに於いて、シャッタカーテンの開方向での制動時に、ワイヤの撓みでガイドローラに過剰の負荷が生じない様にする。    【解決手段】  所要数のパネル７を屈曲自在に連結して構成されたシャッタカーテン８により、建屋等の構築構造物の出入口等の開口部を開閉するパネルシャッタに於いて、前記パネルにガイドローラ９が設けられ、該ガイドローラを介して前記パネルがガイドレール２に沿って移動し、該ガイドレールが開口部に沿って設けられたガイド部と該ガイド部に対して屈曲して連続する格納部４を有し、所要段のパネル側面に制動ピン１３及び該制動ピンより先端側に制動補助ピン１８が設けられ、シャッタカーテン開閉用のワイヤ１２は前記制動ピンの格納側を通り、前記制動補助ピンの反格納側を通って前記シャッタカーテンの先端部に係着された。    【選択図】          図１
2005282126.tif 000002
【特許請求の範囲】
【請求項１】
所要数のパネルを屈曲自在に連結して構成されたシャッタカーテンにより、建屋等の構築構造物の出入口等の開口部を開閉するパネルシャッタに於いて、前記パネルにガイドローラが設けられ、該ガイドローラを介して前記パネルがガイドレールに沿って移動し、該ガイドレールが開口部に沿って設けられたガイド部と該ガイド部に対して屈曲して連続する格納部を有し、所要段のパネル側面に制動ピン及び該制動ピンより先端側に制動補助ピンが設けられ、シャッタカーテン開閉用のワイヤは前記制動ピンの格納側を通り、前記制動補助ピンの反格納側を通って前記シャッタカーテンの先端部に係着されたことを特徴とするパネルシャッタ。
【請求項２】
前記制動補助ピンは、先端側のパネルに該パネルのガイドローラより反格納側に位置する様に設けられた請求項１のパネルシャッタ。
【請求項３】
前記制動補助ピンは、先端側のパネルのガイドローラに近接して設けられた請求項１又は請求項２のパネルシャッタ。
【請求項４】
前記制動ピン、前記制動補助ピンがそれぞれピン支持金具を介してパネルに取付けられ、前記ピン支持金具の少なくとも一方はパネルに固着される部分と前記制動ピン、前記制動補助ピンが取付けられる部分を有し、制動ピン、制動補助ピンが取付けられる部分はパネルに固着される部分に対して片持状に延出している請求項１のパネルシャッタ。
【発明の詳細な説明】
【技術分野】
【０００１】
本発明は、所要数のパネルを屈曲自在に連結して構成されたシャッタカーテンにより、建屋等の構築構造物の出入口等の開口部を開閉するパネルシャッタに関するものである。
【背景技術】
【０００２】
建屋等の構築構造物の出入口等の開口部を開閉する開閉手段としてシャッタ装置がある。シャッタ装置としては、例えば、シャッタカーテンが所要数のパネルを屈曲自在に連結して構成されたパネルシャッタがあり、更に、シャッタカーテンが天井面に沿って格納されるオーバへッドドアがある。
【０００３】
図４により、オーバヘッドドア、特に開口部から天井にかけて充分な空間を有するオーバヘッドドアの概略を説明する。
【０００４】
建屋等の構築構造物の開口部１の両側柱に沿って、垂直ガイドレール２が設けられ、天井に沿って水平ガイドレール３が設けられ、前記垂直ガイドレール２と前記水平ガイドレール３とは湾曲レール４によって連結されている。前記垂直ガイドレール２の上方には水平な巻取シャフト５を具備する開閉装置６が設けられている。
【０００５】
所要数のパネル７が屈曲自在に連結されてシャッタカーテン８が構成され、前記パネル７の両側端にはガイドローラ９が設けられ、該ガイドローラ９は前記垂直ガイドレール２、前記湾曲レール４、前記水平ガイドレール３に転動自在に嵌合し、前記シャッタカーテン８は前記ガイドローラ９を介して前記垂直ガイドレール２、前記湾曲レール４、前記水平ガイドレール３に沿って昇降可能となっている。
【０００６】
前記巻取シャフト５の両端部にはドラム１１が設けられ、該ドラム１１に巻付けられたワイヤ１２が前記シャッタカーテン８の下端部に係着されている。又、前記巻取シャフト５には図示しないバランススプリングが設けられ、該バランススプリングは前記ドラム１１を前記ワイヤ１２を巻取る方向に回転力を付与している。
【０００７】
前記開口部１が開かれる場合は、前記巻取シャフト５を介し前記ドラム１１が回転されることで前記ワイヤ１２が巻取られ、前記シャッタカーテン８が前記垂直ガイドレール２に沿って引上げられ、更に前記水平ガイドレール３に格納される様になっている。
【０００８】
前記開口部１の上方に空間があるので、該開口部１が完全に開放された状態で、前記パネル７が複数枚垂直ガイドレール２に残っている状態となる。
【０００９】
又、前記開口部１が閉じられる場合は、前記開閉装置６により前記巻取シャフト５を介して前記ドラム１１が逆方向に回転され、前記ワイヤ１２が繰出されて前記シャッタカーテン８が降下され、前記開口部１が閉じられる。
【００１０】
上記オーバヘッドドアに於いて、前記シャッタカーテン８が前記開口部１を開放した位置で、前記シャッタカーテン８の上昇を停止させる為の制動装置としてワイヤストッパが設けられる場合がある。
【００１１】
従来のワイヤストッパについて、図５〜図９により説明する。
【００１２】
シャッタカーテン８の所要位置のパネル７、例えば下から（先端側から）３段目のパネル７の側面に制動ピン１３を取付け、前記ワイヤ１２は前記制動ピン１３を経て最下段のパネル７に係着されている。
【００１３】
図５、図６により従来の制動ピン１３について説明する。
【００１４】
図中、１４は上下のパネル７，７を屈曲自在に連結する蝶番である。
【００１５】
前記制動ピン１３は支持金具１５に固着され、該支持金具１５はＬ字状に屈曲され、パネル７の背面から側面に掛渡って前記パネル７に取付けられる。前記支持金具１５は前記蝶番１４と干渉しない位置に配置され、螺子、リベット等所要の固着具で前記パネル７に取付けられる。前記制動ピン１３の上端にはワイヤ外れ防止板１６が固着され、更に該ワイヤ外れ防止板１６と前記支持金具１５間には、前記制動ピン１３と所要の間隔を明け外れ防止螺子１７が螺着されている。
【００１６】
而して、前記支持金具１５と前記ワイヤ外れ防止板１６間、前記制動ピン１３と前記外れ防止螺子１７間を前記ワイヤ１２が挿通する。
【００１７】
図７は、開口部１が開放された状態を示しており、前記制動ピン１３が前記ワイヤ１２を繰出し方向に撓ませており、該ワイヤ１２の張力と前記シャッタカーテン８の上昇力とがバランスされ、停止している状態である。
【００１８】
開口部１の開放の為、閉状態から前記シャッタカーテン８を上昇させると、慣性の為、図７で示すバランス位置よりオーバランし、前記ワイヤ１２を更に撓ませる（図８参照）。該ワイヤ１２が撓むことで張力が増大し、前記シャッタカーテン８に対して制動力が発生する。
【００１９】
上記従来のワイヤストッパに於いて、シャッタカーテン８の上昇速度が大きくなった場合、更にオーバランする可能性がある。オーバランの大きさによっては、図９に示される様に、前記ワイヤ１２が更に撓まされ、下段のパネル７のガイドローラ９に触れる場合があり、該ガイドローラ９に過剰の負荷を掛けることがある。
【００２０】
又、制動ピン１３の設ける位置について、前記支持金具１５は前記蝶番１４と干渉しない位置にする必要があり、取付け上の制約があった。
【発明の開示】
【発明が解決しようとする課題】
【００２１】
本発明は斯かる実情に鑑み、ワイヤストッパを具備するオーバヘッドドアに於いて、シャッタカーテンの開方向での制動時に、ワイヤの撓みでガイドローラに過剰の負荷が生じない様にするものである。
【課題を解決するための手段】
【００２２】
本発明は、所要数のパネルを屈曲自在に連結して構成されたシャッタカーテンにより、建屋等の構築構造物の出入口等の開口部を開閉するパネルシャッタに於いて、前記パネルにガイドローラが設けられ、該ガイドローラを介して前記パネルがガイドレールに沿って移動し、該ガイドレールが開口部に沿って設けられたガイド部と該ガイド部に対して屈曲して連続する格納部を有し、所要段のパネル側面に制動ピン及び該制動ピンより先端側に制動補助ピンが設けられ、シャッタカーテン開閉用のワイヤは前記制動ピンの格納側を通り、前記制動補助ピンの反格納側を通って前記シャッタカーテンの先端部に係着されたパネルシャッタに係り、又前記制動補助ピンは、先端側のパネルに該パネルのガイドローラより反格納側に位置する様に設けられたパネルシャッタに係り、又前記制動補助ピンは、先端側のパネルのガイドローラに近接して設けられたパネルシャッタに係り、更に又前記制動ピン、前記制動補助ピンがそれぞれピン支持金具を介してパネルに取付けられ、前記ピン支持金具の少なくとも一方はパネルに固着される部分と前記制動ピン、前記制動補助ピンが取付けられる部分を有し、制動ピン、制動補助ピンが取付けられる部分はパネルに固着される部分に対して片持状に延出しているパネルシャッタに係るものである。
【発明の効果】
【００２３】
本発明によれば、所要数のパネルを屈曲自在に連結して構成されたシャッタカーテンにより、建屋等の構築構造物の出入口等の開口部を開閉するパネルシャッタに於いて、前記パネルにガイドローラが設けられ、該ガイドローラを介して前記パネルがガイドレールに沿って移動し、該ガイドレールが開口部に沿って設けられたガイド部と該ガイド部に対して屈曲して連続する格納部を有し、所要段のパネル側面に制動ピン及び該制動ピンより先端側に制動補助ピンが設けられ、シャッタカーテン開閉用のワイヤは前記制動ピンの格納側を通り、前記制動補助ピンの反格納側を通って前記シャッタカーテンの先端部に係着されたので、前記制動ピンによってワイヤが撓んだ状態で、前記制動補助ピンがワイヤとガイドローラとの接触を防止し、ガイドローラに過剰な負荷が作用するのを防止する。
【００２４】
又本発明によれば、前記制動ピン、前記制動補助ピンがそれぞれピン支持金具を介してパネルに取付けられ、前記ピン支持金具の少なくとも一方はパネルに固着される部分と前記制動ピン、前記制動補助ピンが取付けられる部分を有し、制動ピン、制動補助ピンが取付けられる部分はパネルに固着される部分に対して片持状に延出しているので、パネルに取付けられている蝶番等とピン支持金具との干渉が避けられ、制動ピン、制動補助ピンの取付け位置の制約が解消され、制動ピン、制動補助ピンを制動に最適な位置に設定することができる等の優れた効果を発揮する。
【発明を実施するための最良の形態】
【００２５】
以下、図面を参照しつつ本発明を実施する為の最良の形態を説明する。
【００２６】
図１〜図３に於いて、図４〜図９中で示したものと同等のものには同符号を付してある。
【００２７】
所要位置のパネル７、例えば下から３段目のパネル７の側面に制動ピン１３を取付け、下段のパネル７（例えば下から２段目）の側面に制動補助ピン１８を取付ける。ワイヤ１２は、前記制動ピン１３のパネルの格納側（水平レール側）を挿通させ、前記制動補助ピン１８の反パネル格納側を挿通させ、最下段のパネル７に係着されている。
【００２８】
前記制動ピン１３はピン支持金具１９により前記パネル７に取付けられ、前記制動補助ピン１８はピン支持金具２１によって前記パネル７に取付けられる。前記ピン支持金具１９と前記ピン支持金具２１は対称形であるので、以下前記ピン支持金具１９について説明する。
【００２９】
該ピン支持金具１９はパネル７の屋内面と平行な面１９ａとパネル７の側面と平行な面１９ｂを有する断面形状がＬ字状であり、該面１９ｂは前記面１９ａより片持梁状に延出しており、前記面１９ｂの延出部に前記制動ピン１３が取付けられる。又、該制動ピン１３の上端にはワイヤ外れ防止板１６が固着され、更に該ワイヤ外れ防止板１６と前記ピン支持金具１９間には、前記制動ピン１３と所要の間隔を明け外れ防止螺子１７が螺着されている。前記ピン支持金具１９と前記ワイヤ外れ防止板１６間、前記制動ピン１３と前記外れ防止螺子１７間を前記ワイヤ１２が挿通する。
【００３０】
前記面１９ａは螺子等の所要の固着具２２によってパネル７の屋内面に固着される。又、位置調整が可能な様に、前記固着具２２が挿通する止め孔２３は上下に長い長孔となっている。
【００３１】
前記制動ピン１３が前記面１９ｂに取付けられるので、前記制動ピン１３は前記面１９ａより外れた位置となっている。この為、前記蝶番１４と干渉しない位置に前記面１９ａが固着されても、前記制動ピン１３はパネル７の下端により近い位置となる。
【００３２】
同様にして、前記制動補助ピン１８は前記ピン支持金具２１を介して下段のパネル７に取付けられる。尚、前記制動補助ピン１８の位置は、できるだけ前記下段のパネル７のガイドローラ９に接近した位置、好ましくは前記ピン支持金具１９に隣接した位置とする。
【００３３】
図１は、シャッタカーテン８が、バランス位置よりオーバランした状態を示している。
【００３４】
前記ワイヤ１２は前記ドラム１１と前記制動補助ピン１８を支点として、前記制動ピン１３によって撓ませられることになり、前記制動補助ピン１８は前記ガイドローラ９に接近して設けられ、又前記制動補助ピン１８は前記ワイヤ１２を前記ガイドローラ９から離反させる位置に設けられているので、前記シャッタカーテン８が大きくオーバランし、前記制動ピン１３によって前記ワイヤ１２が大きく撓ませられても、該ワイヤ１２が前記ガイドローラ９に接触することがない。
【００３５】
尚、前記制動補助ピン１８は下段のパネル７のガイドローラ９に接近して設けられればよいので、必ずしも下段のパネル７に設けられる必要はなく、上段のパネル７の下端部に下段のガイドローラ９に接近する様に制動補助ピン１８が設けられればよい。
【００３６】
前記ピン支持金具１９、ピン支持金具２１は、上下左右計４箇所設けられるが、前記ピン支持金具１９、ピン支持金具２１は対称形であるので、２種類用意すればよい。又、制動ピン１３、制動補助ピン１８のいずれか一方が前記ピン支持金具１９又はピン支持金具２１を介して取付けられ、他方が従来と同様支持金具１５で取付けられてもよい。
【００３７】
又、シャッタカーテンが昇降するオーバヘッドドアに限らず、シャッタカーテンが水平方向に開閉するパネルシャッタにも同様に実施可能であることは言う迄もない。
【図面の簡単な説明】
【００３８】
【図１】本発明の実施の形態を示す要部説明図である。
【図２】本発明の実施の形態を示す要部側面図である。
【図３】本発明の実施の形態を示す要部背面図である。
【図４】従来のオーバヘッドドアを示す側面図である。
【図５】従来のオーバヘッドドアの要部側面図である。
【図６】従来のオーバヘッドドアの要部背面図である。
【図７】従来例のオーバヘッドドアのワイヤストッパの側面図である。
【図８】従来例のオーバヘッドドアのワイヤストッパの説明図である。
【図９】従来例のオーバヘッドドアのワイヤストッパの説明図である。
【符号の説明】
【００３９】
１              開口部
２              垂直ガイドレール
３              水平ガイドレール
４              湾曲レール
５              巻取シャフト
６              開閉装置
７              パネル
８              シャッタカーテン
９              ガイドローラ
１２            ワイヤ
１３            制動ピン
１５            支持金具
１６            ワイヤ外れ防止板
１７            外れ防止螺子
１８            制動補助ピン
１９            ピン支持金具
【図１】
2005282126.tif 000003
【図２】
2005282126.tif 000004
【図３】
2005282126.tif 000005
【図４】
2005282126.tif 000006
【図５】
2005282126.tif 000007
【図６】
2005282126.tif 000008
【図７】
2005282126.tif 000009
【図８】
2005282126.tif 000010
【図９】
2005282126.tif 000011